(57)【要約】      （修正有）【課題】医療・介護従事者でも簡便にファンの調節を行うことができるファン付き医療・介護用上衣を提供する。【解決手段】所定の位置に取付孔２ａ、２ｂを有する後身頃２と、後身頃２に接続される前身頃４と、後身頃２と前身頃４との間に位置する襟ぐり部６と、襟ぐり部６に隣接して、後身頃２と前身頃４との間の肩部８の少なくとも一方に開閉自在に設けられた開放部８ａと、取付孔２ａ、２ｂに着脱自在に装着され、内部に外気を送り込むファン１０ａ、１０ｂと、ファン１０ａ、１０ｂに電力を供給するバッテリと、上衣１の胸部に取り付けられ、バッテリからファン１０ａ、１０ｂへの電力の供給量を調節するスイッチと、を具備することを特徴とするファン付き医療・介護用上衣１。【選択図】図１
0003228803.tif 000002
【実用新案登録請求の範囲】
【請求項１】
所定の位置に取付孔を有する後身頃と、
前記後身頃に接続される前身頃と、
前記後身頃と前記前身頃との間に位置する襟ぐり部と、
前記襟ぐり部に隣接して、前記後身頃と前記前身頃との間の肩部の少なくとも一方に開閉自在に設けられた開放部と、
前記取付孔に着脱自在に装着され、内部に外気を送り込むファンと、
前記ファンに電力を供給するバッテリと、
前記上衣の胸部に取り付けられ、前記バッテリから前記ファンへの電力の供給量を調節するスイッチと、
を具備することを特徴とするファン付き医療・介護用上衣。
【請求項２】
前記開放部が、閉状態でも通気性を有すること、
を特徴とする請求項１に記載のファン付き医療・介護用上衣。
【請求項３】
前記開放部が、所定の間隔を開けて設けられた複数の係止具又は線ファスナ―からなる係止具で開閉自在に設けられていること、
を特徴とする請求項１又は２に記載のファン付き医療・介護用上衣。
【請求項４】
前記スイッチを収容するポケットを更に有すること、
を特徴とする請求項１〜３のうちのいずれかに記載のファン付き医療・介護用上衣。
【考案の詳細な説明】
【技術分野】
【０００１】
本考案は、ファン付き医療・介護用上衣に関する。
【背景技術】
【０００２】
例えば、熱中症対策や快適な作業環境等を提供するためにファンを備え付けた衣服が知られている（例えば特許文献１参照）。かかる衣服は、ファンにより衣服内の空気を強制的に循環させたり入れ替えたりして、着用者の身体を冷却する。
【先行技術文献】
【特許文献】
【０００３】
【特許文献１】国際公開第０２／０６７７０８号
【考案の概要】
【考案が解決しようとする課題】
【０００４】
かかるファン付き衣服では、ファンはバッテリから供給される電力により作動するところ、ファンの開始／停止及び風量の調節は、バッテリに設けられたスイッチを介して行われる。バッテリが例えばポケットの中に配置されている場合には、ポケットに手を入れてスイッチを操作する必要があり、操作しにくいうえに手間である。
【０００５】
他方、医療や介護の現場では医療従事者や介護従事者がハードな仕事で疲弊しており、疲労緩和、環境改善、仕事の効率化、及び熱中症対策において、未だ改善の余地がある。
【０００６】
そこで、本考案は、医療・介護従事者でも簡便にファンの調節を行うことができるファン付き医療・介護用上衣の提供を目的とする。
【課題を解決するための手段】
【０００７】
上述した課題を解決すべく、本考案は、
所定の位置に取付孔を有する後身頃と、
前記後身頃に接続される前身頃と、
前記後身頃と前記前身頃との間に位置する襟ぐり部と、
前記襟ぐり部に隣接して、前記後身頃と前記前身頃との間の肩部の少なくとも一方に開閉自在に設けられた開放部と、
前記取付孔に着脱自在に装着され、内部に外気を送り込むファンと、
前記ファンに電力を供給するバッテリと、
前記上衣の胸部に取り付けられ、前記バッテリから前記ファンへの電力の供給量を調節するスイッチと、
を具備することを特徴とするファン付き医療・介護用上衣、
を提供する。
【０００８】
上記の本考案に係るファン付き医療・介護用上衣においては、前記開放部が、閉状態でも通気性を有すること、が好ましい。
【０００９】
上記の本考案に係るファン付き医療・介護用上衣においては、前記開放部が、所定の間隔を開けて設けられた複数の係止具又は線ファスナ―からなる係止具で開閉自在に設けられていること、が好ましい。
【００１０】
また、上記の本考案に係るファン付き医療・介護用上衣においては、前記スイッチを収容するポケットを更に有すること、が好ましい。
【考案の効果】
【００１１】
本考案によれば、医療・介護従事者でも簡便にファンの調節を行うことができるファン付き医療・介護用上衣を実現することができる。
【図面の簡単な説明】
【００１２】
【図１】本考案の一実施形態に係る医療・介護用上衣１の概要を示す図であって、（１）は正面図であり、（２）は背面図である。
【図２】図1に示す医療・介護用上衣１の肩部に設けられた開放部が開く様子を示す図である。
【考案を実施するための形態】
【００１３】
以下、本考案の代表的な実施形態に係る医療・介護用上衣について、図面を参照しつつ詳細に説明する。なお、図面は、本考案を概念的に説明するためのものであるから、理解容易のために、必要に応じて寸法、比又は数を誇張又は簡略化して表している場合もある。
【００１４】
本実施形態における医療・介護用上衣（以下単に「上衣」ともいう。）１の構成について説明する。上衣１は、図１に示すように、所定の位置に取付孔２ａ，２ｂを有する後身頃２と、後身頃２に接続される前身頃４と、後身頃２と前身頃４との間に位置する襟ぐり部６と、を有する。
【００１５】
そして、上衣１は、襟ぐり部６に隣接して、後身頃２と前身頃４との間の２つの肩部８の一方に開閉自在に設けられた開放部８ａと、取付孔２ａ，２ｂに着脱自在に装着され、内部に外気を送り込むファン１０ａ，１０ｂと、を有する。
【００１６】
更に、ここでは図示しないが、上衣１は、ファン１０ａ，１０ｂに電力を供給するバッテリと、バッテリからファン１０ａ，１０ｂへの電力の供給量を調節するスイッチも有しており、なかでもスイッチは、前身頃４の胸部に取り付けられたポケット１２内に収容されて取り付けられている（図示せず）。
【００１７】
より具体的に説明すると、上衣１は、前身頃４及び後身頃２に加えて、袖を有していてもよい。図１においては、袖部１４が半袖であるが、いわゆる七分袖や長袖であっても構わない。前身頃４は、着用の容易性及びファン１０ａ，１０ｂ等の装着の容易性の観点から、肩部８に設けられた開放部８ａを有し、また、Ｖ字（いわゆるＶネック）状の襟ぐり部６を有している。また、裾部１６は、例えば伸縮性を有する編組織によって又はゴム紐等によって、伸縮性部を構成しており、ファン１０ａ，１０ｂからの空気が、裾部１６ではなく上方の襟ぐり部６及び開放部８ａに向かうように構成されている。
【００１８】
また、図１（２）に示すように、後身頃２の下方に位置する腰部には、ファンのための取付孔が設けられている。取付孔はファンの個数に応じて設けられ、本実施形態では、２個のファン１０ａ，１０ｂに対応して２つの取付孔２ａ，２ｂが後身頃２の下方の左右両側に設けられているが、これに限られない。
【００１９】
例えば、取付孔及びファンは、それぞれ１個ずつであってもよく、また、取付孔は腰部以外の部位に設けられてもよいし、上方に設けられてもよいし、中央に設けられてもよい。また、前身頃２に設けられてもよい。また、取付孔は、ファンが取り付けられないときには、布地等で着脱自在に覆われる構成を有していてもよい。
【００２０】
ファン１０ａ，１０ｂは、外気を吸引して上衣１の内部に吹き出させる、例えば電動の軸流ファンである。ファン１０ａ，１０ｂは、例えば縁部で取付孔２ａ，２ｂの縁を挟み込むことで、取付孔２ａ，２ｂに固定される。ファン１０ａ，１０ｂが上衣１内に吹き出した空気により、上衣１内の空気が流れ、着用者の身体を冷却することになる。
【００２１】
ここで、本実施形態の上衣１では、肩部８の開放部８ａが、所定の間隔をあけて３つのホックからなる係止具８ｂで開閉自在に構成されている。このような構成を有する開放部８ａは、閉状態でも、係止具８ｂ間に空間が介在するため、上衣１の内部と外部との間で通気性が担保されている。
【００２２】
そして、図２（１）に示すように、係止具８ｂを離して開放部８ａを少し開けると、ファン１０ａ，１０ｂから上衣１内に供給された空気が、襟ぐり部６から首方向に排出されて、空気の流れにより使用者に清涼感を与えることができる。更に、図２（２）のように開放部８ａを下方に引っ張って最大限に解放すると、かかる作用効果が更に得られることになる。
【００２３】
なお、バッテリは、ファン１０ａ，１０ｂに電力を供給する携帯型の電源であり、例えばリチウムイオン電池などの二次電池である。バッテリは、上衣１の内面側に設けられた内部に設けられたポケット（図示せず）に収納されてもよい。バッテリは、スイッチからの信号に基づいて、ファン１０ａ，１０ｂへの電力の供給量を変化させることができる。バッテリはまた、ユーザ操作に応じて、電気の残量を、例えば色彩の変化や点灯するランプの数の変化により表示することができる。
【００２４】
スイッチは、上衣１の胸部に取り付けられるのが好ましく、例えば上衣１の内部からポケット１２の内部に挿入されているのがよい。スイッチは、バッテリからファン１０ａ，１０ｂへの電力の供給量を調節する。具体的には、スイッチは、所定の時間（例えば３秒間）継続して押下されると、バッテリからファン１０ａ，１０ｂへの電力の供給の開始及び停止を切り替えるべく、バッテリに信号を出力する。
【００２５】
以上、本考案の実施形態について図面を参照しつつ説明してきたが、本考案は、これらの実施形態に限定されるものではなく、実用新案登録請求の範囲の記載の精神及び教示を逸脱しない範囲でその他の改良例、変形が存在することを当業者に容易に理解される。
【００２６】
例えばスイッチは胸ポケット１２以外のポケットに入れる形で上衣１に取り付けられてもよい。また、スイッチに、赤、白、青以外の色を採用したり、点灯の強度を変化させて、強、中、弱の３段階の表示設定にしたりすることも可能である。
【００２７】
また、スイッチに付されたマークは自由に変更可能であり、本考案に係るファン付き衣服を使用する企業のロゴマーク等を入れることも可能である。更に、スイッチの形も四角以外の丸形や菱型等、自由に成型可能である。
【符号の説明】
【００２８】
１・・・上衣、
２・・・後身頃、
２ａ，２ｂ・・・取付孔、
４・・・前身頃、
６・・・襟ぐり部、
８・・・肩部、
８ａ・・・開放部、
８ｂ・・・係止具、
１０ａ，１０ｂ・・・ファン、
１２・・・ポケット、
１４・・・袖部、
１６・・・裾部。
【図１】
0003228803.tif 000003
【図２】
0003228803.tif 000004